(57)【要約】【課題】良好な排水性を維持しつつ、施工性が向上し、施工品質が安定化し、部品点数の削減を図ることのできる窓上部見切り部材を提供すること。【解決手段】平板状の水返し部２と、この水返し部の一端２ａ側から外側に突出し、水抜き穴３が複数形成された断面略Ｌ字状の見切り部４と、水返し部の一端から見切り部と同じ側に突出するとともに、見切り部から遠ざかるように斜めに延び、窓開口部に取り付けられる上窓枠より屋外側に突出させて配置可能な長さＬを有する平板状の水切り部５とを備え、水返し部、見切り部および水切り部が一体に形成されている。【選択図】図１
2012127166.tif 000002
【特許請求の範囲】
【請求項１】
平板状の水返し部と、この水返し部の一端側から外側に突出し、水抜き穴が複数形成された断面略Ｌ字状の見切り部と、前記水返し部の一端から前記見切り部と同じ側に突出するとともに、前記見切り部から遠ざかるように斜めに延び、窓開口部に取り付けられる上窓枠より屋外側に突出させて配置可能な長さを有する平板状の水切り部とを備え、前記水返し部、前記見切り部および前記水切り部が一体に形成されていることを特徴とする窓上部見切り部材。
【請求項２】
平板状の水返し部と、この水返し部の一端側から外側に突出し、水抜き穴が複数形成された断面略Ｌ字状の見切り部と、前記水返し部の一端から前記見切り部と同じ側に突出するとともに、前記見切り部から遠ざかるように斜めに延び、窓開口部に取り付けられる上窓枠より屋外側に突出させて配置可能な長さを有する平板状の水切り部とを備え、前記水返し部、前記見切り部および前記水切り部が一体に形成されている窓上部見切り部材が、窓開口部に取り付けられた上窓枠の直上において前記水返し部を胴縁に当接して取り付けられ、外壁材の下端部が前記見切り部の内側に納められ、前記水切り部が、前記上窓枠より屋外側に突出して配置されていることを特徴とする窓上部の見切り構造。
【発明の詳細な説明】
【技術分野】
【０００１】
本発明は、窓上部における水切りと見切りの両機能を果たす窓上部見切り部材と、この窓上部見切り部材による窓上部の見切り構造に関する。
【背景技術】
【０００２】
住宅などの建物の窓上部は、窓枠と外壁材の取り合いとなる部分であり、その納まりが建築上重要であり、また、外壁材の表面を伝って流下する雨水などが窓ガラスを濡らさないようにスムーズに排水する水切り機能も重要視される。
【０００３】
下記特許文献１には、水切りと、敷目板と、化粧カバーとを備えた、窓上部の水切りとして使用される端部構造が記載されている。この端部構造では、壁下地に対し水切りと敷目板を固定具を介して固定し、敷目板に設けられた係合部の上に乾式壁材の下端部を配し、化粧カバーに設けられた係止部を敷目板の係合部に係止し、化粧カバーが敷目板に取り付けられる。
【０００４】
そして、上記端部構造では、乾式壁材の下端部表面を伝って雨水が化粧カバー内に浸入する場合には、雨水を敷目板に形成された流水孔と切り欠きを通じて外部に排水することができる。
【先行技術文献】
【特許文献】
【０００５】
【特許文献１】特開平９−１５８３３９号公報
【発明の概要】
【発明が解決しようとする課題】
【０００６】
しかしながら、特許文献１に記載された端部構造では、水切りと、敷目板と、化粧カバーとがそれぞれ別体とされているため、取付作業に手間取るなどの施工上の問題が指摘される。また、窓上部に取り付けられる上窓枠は、外壁材による外壁面よりも外側に突出して取り付けられる場合と、外壁面とほぼ同一面上に取り付けられる場合とがあり、その各々に対応した水切り機能を実現するためには、上窓枠の設置形態に応じた形状を有する水切りが必要とされる。その結果、部品点数が多くなるという問題も指摘される。
【０００７】
本発明は、以上のとおりの事情に鑑みてなされたものであり、良好な排水性を維持しつつ、施工性が向上し、施工品質が安定化し、部品点数の削減を図ることのできる窓上部見切り部材と窓上部の見切り構造を提供することを課題としている。
【課題を解決するための手段】
【０００８】
上記の課題を解決するために、本発明の窓上部見切り部材は、平板状の水返し部と、この水返し部の一端側から外側に突出し、水抜き穴が複数形成された断面略Ｌ字状の見切り部と、水返し部の一端から見切り部と同じ側に突出するとともに、見切り部から遠ざかるように斜めに延び、窓開口部に取り付けられる上窓枠より屋外側に突出させて配置可能な長さを有する平板状の水切り部とを備え、水返し部、見切り部および水切り部が一体に形成されていることを特徴とする。
【０００９】
また、本発明の窓上部の見切り構造は、平板状の水返し部と、この水返し部の一端側から外側に突出し、水抜き穴が複数形成された断面略Ｌ字状の見切り部と、水返し部の一端から見切り部と同じ側に突出するとともに、見切り部から遠ざかるように斜めに延び、窓開口部に取り付けられる上窓枠より屋外側に突出させて配置可能な長さを有する平板状の水切り部とを備え、水返し部、見切り部および水切り部が一体に形成されている窓上部見切り部材が、窓開口部に取り付けられた上窓枠の直上において水返し部を胴縁に当接して取り付けられ、外壁材の下端部が見切り部の内側に納められ、水切り部が、上窓枠より屋外側に突出して配置されていることを特徴としている。
【発明の効果】
【００１０】
本発明の窓上部見切り部材と窓上部の見切り構造によれば、良好な排水性を維持しつつ、施工性が向上し、施工品質が安定化し、部品点数の削減を図ることができる。
【図面の簡単な説明】
【００１１】
【図１】本発明の窓上部見切り部材の一実施形態を示した斜視図である。
【図２】本発明の窓上部の見切り構造の一実施形態を示した要部断面図である。
【図３】図２に示した窓上部の見切り構造を用いて設置された窓とその周辺を示した正面図である。
【発明を実施するための形態】
【００１２】
図１は、本発明の窓上部見切り部材の一実施形態を示した斜視図である。
【００１３】
窓上部見切り部材１は、直立させて配置可能な平板状の水返し部２と、水返し部２の一端２ａ側から外側に突出し、水抜き穴３が複数形成された断面略Ｌ字状の見切り部４とを備えている。また、窓上部見切り部材１は、水返し部２の一端２ａから見切り部４と同じ側に突出するとともに、見切り部４から遠ざかるように斜めに延び、窓開口部に取り付けられる上窓枠より屋外側に突出させて配置可能な長さＬを有する平板状の水切り部５を備えてもいる。窓上部見切り部材１では、これらの水返し部２、見切り部４および水切り部５が一体に形成されている。
【００１４】
窓上部見切り部材１は、鋼板やアルミニウム板などの金属製の部材であり、金属板６を板金加工して形成されている。すなわち、金属板６は、水返し部２において折り重ねられ、一端部６ａが水返し部２に対して略直角に折り曲げられて見切り部４の底壁部４ａを形成している。また、金属板６の一端部６ａは、底壁部４ａの外側の端部において略直角に折り曲げられ、側壁部４ｂを形成している。側壁部４ｂは、水返し部２から底壁部４ａの突出代分離れて水返し部２に対向して配置されている。これらの底壁部４ａおよび側壁部４ｂから断面略Ｌ字状の見切り部４が形成されている。また、見切り部４では、金属板６の一端部６ａの先端部が見切り部４の内側に略Ｊ字状に折り曲げられ、弾性を有する弾接部７が形成されている。
【００１５】
金属板６の他端部６ｂは、水返し部２の一端２ａにおいて見切り部４と同じ側に折り曲げられ、見切り部４の底壁部４ａとの間隔ｄが次第に大きくなるように傾斜する水切り部５を形成している。このように水切り部５は、金属板６の他端部６ｂによって形成されているので、他端部６ｂの先端部は、見切り部４と反対側への折り曲げが可能であり、この折り曲げは、窓上部見切り部材１の施工現場において可能である。
【００１６】
このような窓上部見切り部材１では、水抜き穴３は、見切り部４の底壁部４ａに形成されている。水抜き穴３は、図１図中に拡大して示したように、上向き穴３ａと下向き穴３ｂの２種類があり、窓上部見切り部材１の長さ方向に沿って上向き穴３ａと下向き穴３ｂは、交互に一定の間隔で配置されている。
【００１７】
上向き穴３ａは、底壁部４ａにその長さ方向に切り込みが入れられ、切り込みが入れられた周辺の底壁部４ａが上向きに切り起こされてルーバー８が形成され、その正面部から下方に開口している。すなわち、上向き穴３ａは、ルーバー８の正面部から底壁部４ａを貫通している。下向き穴３ｂは、底壁部４ａにその長さ方向に切り込みが入れられ、切り込みが入れられた周辺の底壁部４ａが下向きに切り倒されてルーバー８が形成され、底壁部４ａからルーバー８の背面部に開口している。すなわち、下向き穴３ｂは、底壁部４ａを貫通し、水返し部２に対向して配置されるルーバー８の背面部へ抜けている。
【００１８】
このように、上向き穴３ａは、見切り部４の底壁部４ａを貫通し、また、下向き穴３ｂは、水返し部２に対向して配置されているので、どちらの水抜き穴３も外部から視認されることはなく、見切り部４の外観は美麗となっている。また、ルーバー８の形成により、風雨に曝されても、風や雨が水抜き穴３から見切り部４の内部に浸入するのが抑制される。
【００１９】
なお、本発明の窓上部見切り部材は、金属製の部材であることに限定されることはなく、水返し部２と、見切り部４と、水切り部５とが一体に形成される限り、樹脂製などであってもよい。樹脂製の窓上部見切り部材は、押出成形などによって作製することができる。
【００２０】
図２は、本発明の窓上部の見切り構造の一実施形態を示した要部断面図である。
【００２１】
図１に示した窓上部見切り部材１が、窓開口部９に取り付けられる上窓枠１０の直上に取り付けられている。上窓枠１０の直上に位置する壁下地１１には、その表面に木製の胴縁１２が釘、木ねじなどの固定具により取り付けられている。上窓枠１０の屋外側の端縁部の上にシリコーン樹脂などから形成された捨てシーリング１３が設けられ、窓上部見切り部材１の水切り部５における最外端部５ａを上窓枠１０の屋外側に突出させて、水切り部５が、その裏面の一部を捨てシーリング１３の上に重ね合わせて配置されている。また、窓上部見切り部材１の水返し部２が、その裏面を胴縁１２の下端部１２ａの表面に当接させて直立状態に配置され、水返し部２の表面側から釘、木ねじなどの固定具１４を胴縁１２に向けて打入、ねじ込みなどすることにより、窓上部見切り部材１が、上窓枠１０の直上に固定されている。上窓枠１０の屋外側に突出させた水切り部５の最外端部５ａは、下方に折り曲げられ、上窓枠１０の屋外側上端縁部１０ａの上に重ね合わせ美麗に納められている。
【００２２】
外壁材１５が、その下端部１５ａを窓上部見切り部材１の水返し部２と見切り部４の側壁部４ｂとの間に挿入されて釘、木ねじなどの固定具または専用の取付金具などによって胴縁１２に固定されている。側壁部４ｂは、見切り部４の内側に折り曲げられて形成された弾接部７を有しているので、弾接部７が有する弾性に基づいて弾接部７には、外壁材１５の下端部１５ａの挿入時に外壁材１５の下端部１５ａを胴縁１２側に押圧する方向に弾性力が発生し、外壁材１５の下端部１５ａを水返し部２と見切り部４の側壁部４ｂとの間に挟持する。こうして、上窓枠１０と外壁材１５の取り合い部分に位置する外壁材１５の下端部１５ａが、見切り部４によって美麗に納められる。また、弾接部７は、断面略Ｊ字状の形状を有しているので、外壁材１５の表面と接触しても、外壁材１５の表面を傷付けることはほとんどない。
【００２３】
なお、外壁材１５は、特にその種類に制限はなく、セメント板や、外殻がアルミニウムなどの金属により形成され、その内部に発泡ポリウレタンフォームなどが充填されて形成された、いわゆる金属製外壁材、または樹脂製外壁材などの各種のものが適用可能である。
【００２４】
窓上部見切り部材１は、上記のとおりの水返し部２、見切り部４および水切り部５が一体に形成されたものであるので、上窓枠１０の直上に釘、木ねじなどの固定具１４によって簡単に取り付け、固定することができる。また、上窓枠１０と外壁材１５の取り合いとなる部分における水切り機能と見切り機能を簡便に実現することができ、施工性が向上し、施工品質が安定化する。しかも、窓上部見切り部材１は一部材であるので、部品点数の削減が図られる。
【００２５】
降雨により外壁材１５の表面に降りかかり、その表面を伝って流下する雨水は、その一部が、窓上部見切り部材１の見切り部４の内側に浸入することがある。しかしながら、見切り部４では、底壁部４ａに上記のとおりの水抜き穴３、すなわち、上向き穴３ａおよび下向き穴３ｂが交互に一定の間隔で配置されているので、見切り部４の内側に浸入した雨水は、上向き穴３ａまたは下向き穴３ｂのいずれかの水抜き穴３を通じて見切り部４の底壁部４ａの下方に排水される。万一雨水が、水返し部２に回り込むようなことがあっても、直立している水返し部２が、雨水を水抜き穴３に向けて戻すので、見切り部４の内部に雨水が滞留することはほとんどない。
【００２６】
水抜き穴３から見切り部４の底壁部４ａの下方に流出する雨水は、水切り部５で受けられ、水切り部５は、上記のとおり傾斜しているため、雨水は、水切り部５の傾斜面を伝って最外端部５ａに向かい、ここから下方に排水される。このように、窓上部見切り部材１は、良好な排水性を維持することもできる。また、水切り部５は、上窓枠１０より屋外側に突出させて配置可能な長さＬを有しているため、最外端部５ａの形状を窓の出寸に合わせて適宜に変更可能であり、窓上部見切り部材１の排水性能は、窓の出寸に対応したものとなる。
【００２７】
そして、見切り部４の底壁部４ａに形成された複数の水抜き穴３は、上記のとおり、ルーバー８とともに形成され、開口それ自体は、上向き穴３ａでは、底壁部４ａの下向きであり、また、下向き穴３ｂでは、水返し部２に対向して配置されるので、外部から視認されることはない。見切り部４の外観は美麗となっている。また、ルーバー８の形成により、風雨に曝されても、風や雨が水抜き穴３から見切り部４の内部に浸入するのが抑制される。
【００２８】
図３は、図２に示した窓上部の見切り構造を用いて設置された窓とその周辺を示した正面図である。
【００２９】
窓１６には、その左右に横窓枠１７および下部に下窓枠１８が設けられ、それぞれにおいて外壁材との取り合いとなる部分に見切り部材１９が取り付けられる。これらの横窓枠１７および下窓枠１８と見切り部材１９との間では、窓上部見切り部材１ほど高い水切り性能は要求されないので、耐水性付与のために、シリコーン樹脂などによるシーリング２０が施工されている。窓１６の４つのコーナー部に位置する窓上部見切り部材１と左右の見切り部材１９の間および下部の見切り部材１９と左右の見切り部材の間には、正面略Ｌ字状の形状を有するキャップ２１が取り付けられている。キャップ２１によって、窓上見切り部材１と他の見切り部材１９とがほぼ同一な形状で、連続する一体物として視認され、窓１６の周辺が一体感のある外観に仕上げられる。このように窓１６の四周部周辺における取り合いが美麗に納まり、また、耐水性も十分に付与される。
【００３０】
もちろん、本発明は、以上の実施形態によって限定されるものではない。窓上部見切り部材を形成する材料および成形方法、外壁材の種類、壁下地や窓枠の構造の詳細などについて様々な態様が可能である。
【符号の説明】
【００３１】
１  窓上部見切り部材
２  水返し部
２ａ  一端
３  水抜き穴
４  見切り部
５  水切り部
８  ルーバー
１０  上窓枠
１２  胴縁
１５  外壁材
１５ａ  下端部
Ｌ  長さ
【図１】
2012127166.tif 000003
【図２】
2012127166.tif 000004
【図３】
2012127166.tif 000005